(57)【特許請求の範囲】
【請求項１】
複数の色光を画像情報に応じて変調する複数の光変調装置と、この光変調装置で変調された光を合成するプリズムとを備えたプロジェクタであって、
前記複数の光変調装置は、前記プリズムの光入射端面に、所定の間隔を隔てて取り付けられ、
前記光変調装置とプリズムの光入射端面との間には、偏光板が設けられ、
この偏光板は、前記各光変調装置に入射する光束の中心線によって規定される面と直交する方向から挿脱可能とされており、
前記プリズムには、当該プリズムの上面に当接する当接部と、この当接部の端縁から前記プリズムの光入射端面に沿って下方に延び、前記光変調装置およびプリズムの光入射端面の間に設けられた延出部とを備えたベース部材が設けられ、
前記偏光板は、前記延出部に取り付けられていることを特徴とするプロジェクタ。
【請求項２】
請求項１に記載のプロジェクタにおいて、
前記複数の光変調装置は、赤色、緑色および青色の光束を変調する３つの光変調装置であり、
前記ベース部材は、少なくとも前記青色の光束を変調する青色光変調装置と、プリズムの青色光入射端面との間に設けられる前記延出部を有することを特徴とするプロジェクタ。
【請求項３】
請求項２に記載のプロジェクタにおいて、
前記ベース部材は、前記赤色、緑色および青色の光束を変調する各光変調装置と、プリズムの各光入射端面との間にそれぞれ設けられる前記延出部を有することを特徴とするプロジェクタ。
【請求項４】
請求項１〜請求項３のいずれかに記載のプロジェクタにおいて、前記ベース部材は、前記プリズムに固着されていることを特徴とするプロジェクタ。
【請求項５】
請求項１〜請求項４のいずれかに記載のプロジェクタにおいて、前記延出部は、前記偏光板で偏光された光を前記プリズムに入射させるための開口を備えて四角枠状に形成され、
前記延出部の両側端には、前記光変調装置側に突出する突出片が設けられていることを特徴とするプロジェクタ。
【請求項６】
請求項５に記載のプロジェクタにおいて、
前記突出片の先端には、対向する突出片に向かって突出する突起部が設けられていることを特徴とするプロジェクタ。
【請求項７】
請求項１〜請求項４のいずれかに記載のプロジェクタにおいて、前記延出部は、前記偏光板で偏光された光を前記プリズムに入射させるための開口を備えて略四角枠状に形成され、
前記延出部の両側端には、前記プリズムの光入射端面側に突出する突出片が設けられているとともに、その一部分が前記光変調装置側に切り起こされて形成された切り起こし片が設けられていることを特徴とするプロジェクタ。
【請求項８】
請求項７に記載のプロジェクタにおいて、２枚の前記偏光板が一つの前記光変調装置に対応して取り付けられていることを特徴とするプロジェクタ。
【請求項９】
請求項５〜請求項８のいずれかに記載のプロジェクタにおいて、両端側に設けられた前記突出片の間の寸法は、前記偏光板の幅寸法と略同じであることを特徴とするプロジェクタ。
【請求項１０】
請求項１〜請求項９のいずれかに記載のプロジェクタにおいて、前記延出部の延出方向先端には、前記偏光板を支持する支持部が設けられていることを特徴とするプロジェクタ。
【請求項１１】
請求項１〜請求項１０のいずれかに記載のプロジェクタにおいて、
前記偏光板は、固着されていることを特徴とするプロジェクタ。
【請求項１２】
請求項１〜請求項１０のいずれかに記載のプロジェクタにおいて、
前記延出部には、前記偏光板を装着後に曲げて押え込む折り曲げ部が設けられていることを特徴とするプロジェクタ。
【請求項１３】
請求項１〜請求項１２のいずれかに記載のプロジェクタにおいて、
前記プリズムで合成された光を拡大投射する投写レンズを備え、
前記ベース部材は、前記光変調装置とプリズムの光入射端面との間の隙間を覆い、前記投写レンズ側に漏れる光を遮光する遮光部を備えていることを特徴とするプロジェクタ。
【請求項１４】
請求項１３に記載のプロジェクタにおいて、
前記遮光部は、前記プリズムの出射端面に沿って延びる板状に形成されているとともに、当該プリズムの出射端面に応じた部分が開口され、
前記遮光部の前記光変調装置とプリズムの光入射端面との間の隙間を覆う両側端は、断面Ｚ字形状に形成されていることを特徴とするプロジェクタ。
【請求項１５】
請求項１〜請求項１４のいずれかに記載のプロジェクタにおいて、
前記ベース部材は、金属製であるとともに、その表面には、黒色の艶消し処理が施されていることを特徴とするプロジェクタ。
【請求項１６】
請求項１〜請求項１５のいずれかに記載のプロジェクタにおいて、
前記複数の光変調装置は、赤色、緑色および青色の光束を変調する３つの光変調装置であり、
前記各光変調装置は、平面四角形状に形成され、
前記３つの光変調装置およびプリズムは、当該各光変調装置の四隅部分にそれぞれ挿入される棒状部材を前記プリズムの光入射端面に接着剤で固定する構造とされていることを特徴とするプロジェクタ。
【請求項１７】
請求項１６に記載のプロジェクタにおいて、
前記延出部は、前記偏光板の挿脱方向に直交する方向に対向配置される前記棒状部材間の寸法よりも幅狭の寸法を有していることを特徴とするプロジェクタ。
【請求項１８】
請求項１〜請求項１７のいずれかに記載のプロジェクタにおいて、
前記偏光板は、サファイアガラスからなるサファイア基板を含んで構成されていることを特徴とするプロジェクタ。
【請求項１９】
請求項１〜請求項１８のいずれかに記載のプロジェクタにおいて、前記ベース部材の前記プリズム当接部の表面に板状部材が設けられていることを特徴とするプロジェクタ。
【請求項２０】
複数の色光を画像情報に応じて変調する複数の光変調装置と、この光変調装置で変調された光を合成するプリズムとを備えたプロジェクタであって、
前記複数の光変調装置は、前記プリズムの光入射端面に、所定の間隔を隔てて取り付けられ、
前記複数の光変調装置は、前記プリズムの光入射端面に、所定の間隔を隔てて取付けられ、
前記光変調装置とプリズムの光入射端面との間には、偏光板が設けられ、
前記プリズムには、当該プリズムの上面に当接する当接部と、この当接部の端縁から前記プリズムの光入射端面に沿って下方に延び、前期光変調装置およびプリズムの光入射端面の間に設けられた延出部とを備えたベース部材が設けられ、
前記延出部は、前記偏光板で偏光された光を前記プリズムに入射させるための開口を備えて四角枠状に形成され、
前記延出部の両側端には、前記光変調装置側に突出する突出片が設けられ、
前記延出部の延出方向先端には、前記偏光板を支持する支持部が設けられ、
前記偏光板は、前記延出部に取り付けられていることを特徴とするプロジェクタ。
【発明の詳細な説明】
【０００１】
【発明の属する技術分野】
本発明は、複数の色光を画像情報に応じて変調する複数の光変調装置と、この光変調装置で変調された光を合成するプリズムとを備えたプロジェクタに関するものである。
【０００２】
【従来の技術】
従来より、複数色の光を画像情報に応じて変調する３つの光変調装置と、当該３つの光変調装置で変調された色光を合成するクロスダイクロイックプリズムと、このプリズムで合成された光を拡大投写する投写レンズとを備えたプロジェクタが利用されている。
このようなプロジェクタは、会議、学会、展示会等でのマルチメディアプレゼンテーションに広く利用され、必要に応じて持ち込まれたり、終了後に他の場所に移して移管する場合もあるので、小型化が促進されている。
【０００３】
近年では、小型化に対応するとともに、構造の簡素化を図るために、３つの各光変調装置の四隅部分にそれぞれ挿入される棒状部材をクロスダイクロイックプリズムの光入射端面に固定する構造が採用されている。以下、この構造を、「ＰＯＰ（Panel On Prism）構造」という。このＰＯＰ構造は、保持枠に保持した光変調装置を、プリズムの面に、所定の間隔を隔てて、半田や接着剤で固定する構造である。
【０００４】
ここで、通常、光変調装置とプリズムの光入射端面との間には、当該光変調装置で変調された光を偏光する偏光板が設けられている。この偏光板は、接着剤等で直接プリズムの光入射端面に貼り付けられている。
【０００５】
【発明が解決しようとする課題】
このような偏光板は、ガラス基板に偏光フィルムが貼り付けられて形成されている。この偏光フィルムは、長年使用すると、プリズムや光変調装置を通過する光から発生する熱によって劣化することがあり、これに伴い投写される画質が劣化することがある。このため、所定期間毎に偏光板を交換しなければならない。
従来のＰＯＰ構造における偏光板の交換は、棒状部材を取り外して各光変調装置を外し、偏光板を交換した後、再び各光変調装置をプリズムに棒状部材を介して取り付けるようになっている。
【０００６】
しかしながら、光変調装置は、プリズムとの相対位置や焦点距離などを調整して取り付けられているため、一度取り外すと、各光変調装置の位置を再度調整しながら取り付けなければならず、当該光変調装置の取付作業が面倒であり、ひいては、偏光板の交換作業が煩雑になるという問題がある。
また、ねじ止め固定を採用しても、ねじの挿入孔とねじとの間に遊びを設けなければならないので、同様に、各光変調装置の位置調整が不可避であり、この点からも、光変調装置の取付作業が面倒であり、ひいては、偏光板の交換作業が煩雑になるという問題がある。
【０００７】
一方、近年では、小型化の促進とともに、プロジェクタによる投写画像を鮮明にするために、光源としての光源ランプの高輝度化が促進されている。このように高輝度化、小型化が図られたプロジェクタは、装置内部の温度が上昇し易くなるので、従来よりも偏光板の交換作業の回数を増やす必要がある。
しかしながら、前述の通り、偏光板の交換作業は煩雑であるため、光源ランプの高輝度化や、装置の小型化等に対応した偏光板の取付構造が求められている。
【０００８】
本発明の目的は、偏光板の交換作業が容易となり、光源ランプの高輝度化や装置の小型化等に対応できる偏光板の取付構造を備えたプロジェクタを提供することにある。
【０００９】
【課題を解決するための手段】
本発明は、複数の色光を画像情報に応じて変調する複数の光変調装置と、この光変調装置で変調された光を合成するプリズムとを備えたプロジェクタであって、複数の光変調装置は、プリズムの光入射端面に、所定の間隔を隔てて取り付けられ、光変調装置とプリズムの光入射端面との間には、偏光板が設けられ、この偏光板は、各光変調装置に入射する光束の中心線によって規定される面と直交する方向から挿脱可能とされており、前述のプリズムには、当該プリズムの上面に当接する当接部と、この当接部の端縁からプリズムの光入射端面に沿って下方に延び、光変調装置およびプリズムの光入射端面の間に設けられた延出部とを備えたベース部材が設けられ、偏光板は、この延出部に取り付けられていることを特徴とする。
【００１０】
ここで、前述の複数の光変調装置は、赤色、緑色および青色の光束を変調する３つの光変調装置であり、各光変調装置は、平面四角形状に形成され、３つの光変調装置およびプリズムは、当該各光変調装置の四隅部分にそれぞれ挿入される棒状部材をプリズムの光入射端面に接着剤で固定する構造「ＰＯＰ（Panel On Prism）構造」とされていることが好ましい。
【００１１】
このような本発明では、偏光板が光変調装置に入射する光束の中心線によって規定される面と直交する方向から挿脱可能となっているので、光変調装置の着脱作業を行わずに偏光板を交換することが可能となる。これにより、偏光板の交換作業が容易となり、光源ランプの高輝度化や装置の小型化等に対応できる偏光板の取付構造を得ることが可能となる。
【００１３】
ここで、偏光板がプリズムに接着剤等で取り付けられていると、交換する際に、プリズムに位置ずれや傷つき等が生じないように、慎重に偏光板を剥がして、新しい偏光板を取り付けなければならない。しかし、このように、偏光板を延出部に取り付ければ、当該偏光板をプリズムに直接取り付けなくてよいので、偏光板を交換する際に、プリズムの位置ずれや傷つき等を考慮しながら慎重に交換作業を行う必要がない。これにより、偏光板の交換作業を容易に行うことが可能となる。
【００１４】
また、前述の複数の光変調装置は、赤色、緑色および青色の光束を変調する３つの光変調装置であり、ベース部材は、少なくとも青色の光束を変調する青色光変調装置と、プリズムの青色光入射端面との間に設けられる延出部を有することが望ましい。この際、前述のベース部材は、赤色、緑色および青色の光束を変調する各光変調装置と、プリズムの各光入射端面との間にそれぞれ設けられる延出部を有していてもよい。
【００１５】
ここで、青色の光束は、赤色、緑色の光束よりも波長が短いものであるとともに、当該光束から発生する熱も赤色、緑色の光束よりも温度が高いものとなっている。このため、青色光変調装置とプリズムの青色光入射端面との間に設けられる偏光板は、他の部分に設けられる偏光板よりも交換頻度が高い。そこで、青色光変調装置とプリズムの青色光入射端面との間に設けられる偏光板を延出部に取り付ければ、プリズムの位置ずれ等を考慮せずに、容易に偏光板の交換作業を行うことが可能となる。また、赤色、緑色および青色の光束を変調する各光変調装置と、プリズムの各光入射端面との間にそれぞれ延出部を設けていれば、青色光変調装置とプリズムの青色光入射端面との間に設けられる偏光板のみならず、他の部分の偏光板の交換作業も容易に行うことが可能となる。
【００１６】
また、前述のベース部材は、プリズムに、両面テープや接着剤等により接着固定されていることが望ましい。
【００１７】
このようにすれば、ベース部材をプリズムに取り付ける際、例えば、当接部の裏面および延出部の先端裏面部分に両面テープを貼り付けておき、プリズム上方からベース部材を降ろし、当該当接部をプリズムの上面、延出部をプリズムの光入射端面に接触させることで、ベース部材をプリズムに簡単に取り付けることが可能となる。これにより、ベース部材の取付作業が容易となる。
【００１８】
さらに、前述の延出部は、偏光板で偏光された光をプリズムに入射させるための開口を備えて四角枠状に形成され、延出部の両側端には、光変調装置側に突出する突出片が設けられていることが好ましい。
【００１９】
このようにすれば、対向する突出片間に偏光板を挿入することで、当該偏光板の水平方向の位置ずれ等を防止することが可能となる。さらに、対向する突出片間の幅寸法が偏光板の幅寸法と略同じであれば、当該偏光板の水平方向の位置を略所望の位置に固定することが可能となる。これにより、偏光板の取付精度を向上させることが可能となる。
【００２０】
また、前述の突出片の先端には、対向する突出片に向かって突出する突起部が設けられていることが望ましい。
【００２１】
このようにすれば、偏光板の光変調装置側（面外方向）への抜けや位置ずれ等を防止することが可能となるので、偏光板の取付精度をより一層向上させることが可能となる。
【００２２】
さらに、前述の延出部は、偏光板で偏光された光をプリズムに入射させるための開口を備えて略四角枠状に形成され、延出部の両側端には、プリズムの光入射端面側に突出する突出片が設けられているとともに、その一部分が光変調装置側に切り起こされて形成された切り起こし片が設けられていることが好ましい。また、２枚の前記偏光板が一つの前記光変調装置に対応して取り付けられていることが好ましい。また、両端側に設けられた前記突出片の間の寸法は、前記偏光板の幅寸法と略同じであることが好ましい。
【００２３】
このようにすれば、延出部のプリズム側と光変調装置側とで２枚の偏光板を取り付けることが可能となるので、１枚が劣化しても、もう一枚によって偏光することが可能となる。つまり、偏光板の交換サイクルを長くすることが可能となり、この点からも、偏光板の交換作業が容易となる。
【００２４】
また、前述の延出部の延出方向先端には、偏光板を支持する支持部が設けられていることが望ましい。
【００２５】
このようにすれば、偏光板を挿入するだけで、当該偏光板を所望の高さレベルに配置することが可能となるので、高さレベルを調整しながら延出部に取り付ける場合に比べて、偏光板の取付作業を容易に行うことが可能となる。
【００２６】
さらに、前述の偏光板は、両面テープや接着剤等により接着固定されていることが好ましい。
【００２７】
このように、偏光板を延出部に両面テープや接着剤等により接着固定すれば、延出部に取り付けたり、当該延出部から取り外したりする作業を簡単に行うことが可能となるので、偏光板の交換作業が容易となる。
【００２８】
また、前述のプロジェクタは、プリズムで合成された光を拡大投射する投写レンズを備え、ベース部材は、光変調装置とプリズムの光入射端面との間の隙間を覆い、投写レンズ側に漏れる光を遮光する遮光部を備えていることが望ましい。
【００２９】
このようにすれば、遮光部によって、光変調装置とプリズムとの間の隙間から投写レンズ側に漏れる光が遮光されるので、投写レンズには、プリズムから出射される光のみが入射されるようになる。これにより、小型化を行っても、投写される画像の画質を損なうことがない。
【００３０】
さらに、前述の遮光部は、プリズムの出射端面に沿って延びる板状に形成されているとともに、当該プリズムの出射端面に応じた部分が開口され、遮光部の光変調装置とプリズムの光入射端面との間の隙間を覆う両側端は、断面Ｚ字形状に形成されていることが好ましい。
【００３１】
このようにすれば、光変調装置とプリズムとの間の隙間から投写レンズ側に漏れる光を遮光するだけでなく、断面Ｚ字形状の形状によって、冷却ファンからの冷却空気を整流し、当該冷却空気を特に熱に弱い偏光板や光変調装置に大量に吹き付けることが可能となる。これにより、偏光板や光変調装置を効率よく冷却することが可能となる。
【００３２】
また、前述のベース部材は、金属製であるとともに、その表面には、黒色の艶消し処理が施されていることが望ましい。
【００３３】
このように、ベース部材の表面に黒色の艶消し処理を施せば、遮光部や延出部で遮られた光が反射して投写レンズや光変調装置等の光学素子に入り込み、画像に影響を及ぼす可能性を回避することが可能となる。
【００３４】
また、前述の延出部は、偏光板の挿脱方向に直交する方向に対向配置される棒状部材間の寸法よりも幅狭の寸法を有していることが望ましい。
【００３５】
このようにすれば、偏光板が取り付けられたベース部材を上方に持ち上げることで、当該ベース部材をプリズムから外すことが可能となる。つまり、偏光板の交換作業を、光変調装置とプリズムの光入射端面との間の狭い空間で行うのではなく、別の広い空間で行うことが可能となる。これにより、偏光板の交換作業をより一層容易に行うことが可能となる。
【００３６】
さらに、前述の偏光板は、サファイアガラスからなるサファイア基板を含んで構成されていることが好ましい。また、前記延出部には、前記偏光板を装着後に曲げて押え込む折り曲げ部が設けられていることが好ましい。また、前記ベース部材の前記プリズム当接部の表面に板状部材が設けられていることが好ましい。
【００３７】
このようにすれば、サファイア基板は、放熱性能が非常によいので、偏光板に蓄積される熱を効率よく放熱することが可能となる。これにより、偏光板の寿命を延ばすことが可能となり、偏光板の交換サイクルが長くなるので、偏光板の交換作業が容易となる。
【００３８】
【発明の実施の形態】
以下に本発明の実施の形態を図面に基づいて説明する。
【００３９】
［第１実施形態］
（１）装置の全体構成
図１、図２には、本実施形態に係るプロジェクタ１の概略斜視図が示され、図１は上面側から見た斜視図、図２は下面側から見た斜視図である。
プロジェクタ１は、光源としての光源装置から出射された光束を赤（Ｒ）、緑（Ｇ）、青（Ｂ）の三原色に分離し、これらの各色光束を、電気光学装置を構成する光変調装置である液晶パネルを通して画像情報に対応させて変調し、変調した後の各色の変調光束をクロスダイクロイックプリズムにより合成して、投写レンズ６を介して投写面上に拡大表示する形式のものである。各構成部品は外装ケース２の内部に収納されているが、投写レンズ６はそのズーム機構により、必要に応じて外装ケース２から突出可能に設けられている。
【００４０】
（２）外装ケースの構造
外装ケース２は、基本的には、装置上面を覆うアッパーケース３と、装置底面を構成するロアーケース４と、正面部分を覆うフロントケース５とから構成され、アッパーケース３およびロアーケース４がマグネシウムダイキャスト製で、フロントケース５が樹脂製である。
アッパーケース３の上面右側（正面から見て右側）には、樹脂製のフィルタ交換蓋２４１で覆われた空気取入口２４０が設けられている。このフィルタ交換蓋２４１には、外部から取り入れた空気を装置内部へ冷却空気として導入するためのスリット状の開口２４１Ａが形成され、当該フィルタ交換蓋２４１の内側には、エアフィルタ２４２（図８）が設けられている。このフィルタ交換蓋２４１をアッパーケース３の上面側から着脱することで、内部のエアフィルタ２４２を交換することが可能である。
【００４１】
また、アッパーケース３の上面において、フィルタ交換蓋２４１の前方には、スピーカ２５０（図７）用の多数の連通孔２５１が穿設されている。連通孔２５１の側方には、プロジェクタ１の画質等を調整するための操作パネル６０が設けられている。これらのフィルタ交換蓋２４１、連通孔２５１、および操作パネル６０が設けられている部分は、図７、図８に示されるように、アッパーケース３の一部が上方に膨出した膨出部３Ａになっており、この膨出部３Ａによって形成される内部空間に前述のエアフィルタ２４２や、スピーカ２５０、操作パネル６０用の回路基板６１等が収容されている。
【００４２】
図２において、ロアーケース４の底面には、内部に収納される光源ランプユニット８（図３、図４）を交換するためのランプ交換蓋２７が設けられている。ロアーケース４の底面前方側の角部にはフット３１Ｒ、３１Ｌが設けられ、後方側の中央にはフット３１Ｃが設けられている。なお、フット３１Ｒ、３１Ｌは、ダイヤル部分を回転させたり、レバー３２Ｒ、３２Ｌを操作することで突出方向に進退する構成であり、その進退量を調整することによって表示画面の高さや傾きを変更することが可能である。
【００４３】
フロントケース５前面の向かって右側部分には、図示略のリモートコントローラからの光信号を受信するための受光部７０が設けられている。フロントケース５の略中央には、装置内部の空気を排出する排気口１６０が設けられている。
【００４４】
このような外装ケース２の空気取入口２４０寄りの側面および背面には、外部電源との接続用のＡＣインレット５０や各種の入出力端子群５１が配置されている。
【００４５】
（３）装置の内部構造
図３〜図８には、プロジェクタ１の内部構造が示されている。図３は装置内部の概略斜視図、図４は光学系を示す斜視図、図５、図６は光学系の内部を示す斜視図、図７、図８はプロジェクタ１の垂直断面図である。
【００４６】
これらの図において、外装ケース２の内部には、光源ランプユニット８、電源としての電源ユニット９、光学ユニット１０、ドライバーボード１１（図８）、メインボード１２、ＡＶボード１３などが配置されている。そして、本実施形態では、光源ランプユニット８、光学ユニット１０、および前述した投写レンズ６により、図９にも示されるように、本発明に係る平面Ｕ字形状の光学系が構成され、各ボード１１、１２、１３で本発明に係る制御系が構成されている。
【００４７】
電源ユニット９は、光学系の投写レンズ６側の側部に配置された第１電源ブロック９Ａ、平面Ｕ字型の光学系における中央の開口部１４内、すなわち投写レンズ６と光源ランプユニット８との間に配置された第２電源ブロック９Ｂ、光学系の光源ランプユニット８側の側部に配置された第３電源ブロック９Ｃで構成されている。
【００４８】
第１電源ブロック９Ａは、前記ＡＣインレット５０を備えており、このＡＣインレット５０を通して得られる外部電源からの電力を第２電源ブロック９Ｂおよび第３電源ブロック９Ｃに分配供給している。
第２電源ブロック９Ｂは、第１電源ブロック９Ａから得られる電力を変圧して主に前記制御系を構成するメインボード１２に供給している。この第２電源ブロック９Ｂの排気口１６０側には、当該第２電源ブロック９Ｂからの電力で駆動される補助排気ファン１５が取り付けられている。
第３電源ブロック９Ｃは、第１電源ブロック９Ｂから得られる電力を変圧して光源ランプユニット８内の光源としての光源装置１８３（図９）に供給している。すなわち、第３電源ブロック９Ｃは、最も消費電力の大きい光源装置１８３に電力を供給する必要から、第１、第２電源ブロック９Ａ、９Ｂよりも大きく、装置１の前後にわたる大きさに設けられている。
【００４９】
このような第１〜第３電源ブロック９Ａ〜９Ｃは、投写レンズ６や光学ユニット１０に先がけてロアーケース４にネジ等によって固定される。なお、第１電源ブロック９Ａは、第２電源ブロック９Ｂにのみ電力を供給し、第３電源ブロック９Ｃはその第２電源ブロック９Ｂから電力が分配されるようにしてもよい。
【００５０】
光源ランプユニット８は、プロジェクタ１の光源部分を構成するものであり、図９に示されるように、光源ランプ１８１および凹面鏡１８２からなる光源装置１８３と、この光源装置１８３を収納するランプハウジング１８４とを有している。
なお、ランプハウジング１８４には、光源ランプ１８１の使用の有無を判別する使用有無判別部が設けられている。
【００５１】
そして、ランプハウジング１８４において、光源装置である光源ランプユニット８は、後述のライトガイド９００を構成する上ライトガイド９０１と一体の収容部９０２１で覆われており、上述したランプ交換蓋２７を開けて取り外せるように構成されている。収容部９０２１の前方には、排気口１６０に対応した位置に補助排気ファン１５よりも大きい主排気ファン１６が配置されている。そして、この主排気ファン１６も第２電源ブロック９Ｂからの電力で駆動される。
【００５２】
光学ユニット１０は、光源ランプユニット８から出射された光束を、光学的に処理して画像情報に対応した光学像を形成するユニットであり、光学部品用筐体であるライトガイド９００を備えている。このライトガイド９００は、樹脂製で箱状とされた上ライトガイド９０１と、マグネシウム製で蓋状とされた下ライトガイド９０２とで構成され、その内部には照明光学系９２３、色光分離光学系９２４、変調系としての電気光学装置９２５、およびクロスダイクロイックプリズム９１０が収容されている。また、下ライトガイド９０２には投写レンズ６が固定される鉛直なヘッド板９０３が設けられている。電気光学装置９２５およびクロスダイクロイックプリズム９１０以外の光学ユニット１０の光学素子は、上下のライトガイド９０１、９０２の間に挟まれて保持された構成となっている。これらの上ライトガイド９０１、下ライトガイド９０２は一体とされて、ロアーケース４の側に固定されている。
【００５３】
クロスダイクロイックプリズム９１０は、ヘッド板９０３を挟んで投写レンズ６とは反対側に配置され、下ライトガイド９０２上に支持部材を介して固定されている。電気光学装置９２５を構成する各液晶パネル９２５Ｒ、９２５Ｇ、９２５Ｂは、クロスダイクロイックプリズム９１０の３側面と対向配置され、クロスダイクロイックプリズム９１０の対向する側面に棒状部材を介して接着固定されている。なお、各液晶パネル９２５Ｒ、９２５Ｇ、９２５Ｂの互いの位置関係は、液晶パネル９２５Ｂと液晶パネル９２５Ｒとがクロスダイクロイックプリズム９１０を挟んで対向した位置に設けられ、液晶パネル９２５Ｇがクロスダイクロイックプリズム９１０を挟んで投写レンズ６と対向した位置に設けられている。そして、これらの液晶パネル９２５Ｒ、９２５Ｇ、９２５Ｂは、クロスダイクロイックプリズム９１０の上方に位置しかつ前述の空気取入口２４０に対応して設けられた冷却ファンである吸気ファン１７からの冷却用空気によって冷却される。この際、吸気ファン１７駆動用の電力は、メインボード１２からドライバーボード１１を介して供給される。
【００５４】
ドライバーボード１１は、上述した電気光学装置９２５の各液晶パネル９２５Ｒ、９２５Ｇ、９２５Ｂを制御するためのものであり、光学ユニット１０の上方に配置されている。
【００５５】
メインボード１２は、プロジェクタ１全体を制御する制御回路が形成されたものであり、光学ユニット１０の後方に立設されている。従って、メインボード１２とドライバーボード１１とは互いに直角に配置されてコネクタを介して電気的に接続されている。なお、このメインボード１２には、使用有無判別部からの情報を検出するランプ情報検出回路基板が、ケーブルを介して接続されている。
【００５６】
ＡＶボード１３は、入出力端子群５１を備えた回路基板であって、光学ユニット１０とメインボード１２との間に立設され、メインボード１２に電気的に接続されている。
【００５７】
以上の内部構造においては、吸気ファン１７で吸引された冷却空気は、電気光学装置９２５を冷却した後、各排気ファン１５、１６の回転によって各ボード１１、１２、１３を冷却しながら光源ランプユニット８側に導かれる。そして、冷却空気は、ロアーケース４の底面に設けられた吸入口４Ａ（図２）からの新たな冷却空気と共に、主に光源ランプユニット８に流れ込んで内部の光源装置１８３を冷却する。また、冷却空気の一部は第２電源ブロック９Ｂ側を流れ、他の一部は第３電源ブロック９Ｃ側を流れ、それぞれを冷却する。この後、冷却空気は各排気ファン１５、１６によって排気口１６０から装置１の前全面側に排気される。
【００５８】
（４）光学系の構造
次に、図５、図６、図９を参照して光学系の光学ユニット１０について詳細に説明する。
光学ユニット１０は、それぞれ上ライトガイド９０１内に収容された照明光学系９２３と、色光分離光学系９２４と、リレー光学系９２７と、それぞれ下ライトガイド９０２に固定された電気光学装置９２５と、クロスダイクロイックプリズム９１０と、下ライトガイド９０２のヘッド板９０３に固定された投写レンズ６とで構成されている。
【００５９】
照明光学系９２３は、電気光学装置９２５の３枚の液晶パネル９２５Ｒ、９２５Ｇ、９２５Ｂの画像形成領域をほぼ均一に照明するためのインテグレータ照明光学系であり、光源装置１８３と、第１のレンズアレイ９２１と、第２のレンズアレイ９２２と、反射ミラー９３１と、重畳レンズ９３２とを備えている。これらのレンズアレイ９２１、９２２、重畳レンズ９３２、および反射ミラー９３１は、上ライトガイド９０１の立上部分に支持された状態で配置されているとともに、脱落防止部材としてのクリップ７によって固定され、上ライトガイド９０１を図３に示す状態から反転させても脱落しないようになっている。
【００６０】
照明光学系９２３を構成する光源装置１８３は、放射状の光線を出射する放射光源としての光源ランプ１８１と、光源ランプ１８１から出射された放射光をほぼ平行な光線束として出射する凹面鏡１８２とを有する。光源ランプ１８１としては、ハロゲンランプやメタルハライドランプ、または高圧水銀ランプが用いられることが多い。凹面鏡１８２としては、放物面鏡や楕円面鏡を用いることが好ましい。
【００６１】
第１のレンズアレイ９２１は、略矩形状の輪郭を有する小レンズ９２１１がＭ行Ｎ列のマトリクス状に配列された構成を有している。各小レンズ９２１１は、光源から入射された平行な光束を複数の（すなわちＭ×Ｎ個の）部分光束に分割し、各部分光束を第２のレンズアレイ９２２の近傍で結像させる。各小レンズ９２１１の輪郭の形状は、液晶パネル９２５Ｒ、９２５Ｇ、９２５Ｂの画像形成領域の形状とほぼ相似形をなすように設定されている。例えば、液晶パネルの画像形成領域のアスペクト比（横と縦の寸法の比率）が４：３であるならば、各小レンズのアスペクト比も４：３に設定する。
【００６２】
第２のレンズアレイ９２２も、第１のレンズアレイ９２１の小レンズ９２１１に対応するように、小レンズ９２２１がＭ行Ｎ列のマトリクス状に配列された構成を有している。第２のレンズアレイ９２２は、第１のレンズアレイ９２１から出射された各部分光束の中心軸（主光線）が重畳レンズ９３２の入射端面に垂直に入射するように揃える機能を有している。ここで、重畳レンズ９３２は、複数の部分光束を３枚の液晶パネル９２５Ｒ、９２５Ｇ、９２５Ｂ上で重畳させる機能を有している。また、第２のレンズアレイ９２２は、図５に示されるように、反射ミラー９３１を挟んで第１のレンズアレイ９２１に対して９０度傾いて配置されている。
【００６３】
反射ミラー９３１は、第１のレンズアレイ９２１から出射された光束を第２のレンズアレイ９２２に導くためのミラーであり、照明光学系の構成によっては、必ずしも必要としない。例えば、第１のレンズアレイ９２１および光源が第２のレンズアレイ９２２に平行に設けられていれば不要である。
【００６４】
色光分離光学系９２４は、本発明に係る光学部品としての２枚のダイクロイックミラー９４１、９４２と、反射ミラー９４３とを備え、照明光学系９２３の重畳レンズ９３２から出射される光を、赤、緑、青の３色の色光に分離する機能を有している。各ミラー９４１、９４２、９４３は、前述と同様に上ライトガイド９０１の立上部分に支持され、クリップ７によって上ライトガイド９０１に固定されている。
【００６５】
リレー光学系９２７は、入射側レンズ９５４、リレーレンズ９７３、および反射ミラー９７１、９７２を備えており、これらの反射ミラー９７１、９７２もクリップ７によって上ライトガイド９０１に固定されている。
【００６６】
電気光学装置９２５の液晶パネル９２５Ｒ、９２５Ｇ、９２５Ｂは、例えば、ポリシリコンＴＦＴをスイッチング素子として用いたものである。各液晶パネル９２５Ｒ、９２５Ｇ、９２５Ｂは、上ライトガイド９０１の外側であって、上ライトガイド９０１の外周に設けられた凹状部９０４（図５）に対応して配置され、かつクロスダイクロイックプリズム９１０の三方の側面に対向した状態でクロスダイクロイックプリズム９１０の対向する面に棒状部材を介して接着固定されている。各液晶パネル９２５Ｒ、９２５Ｇ、９２５Ｂの光入射端面側には、入射側偏光板９６０Ｒ、９６０Ｇ、９６０Ｂが、光出射端面側には出射側偏光板９６１Ｒ、９６１Ｇ、９６１Ｂがそれぞれ配置されている。
【００６７】
クロスダイクロイックプリズム９１０は、３色の色光を合成してカラー画像を形成する機能を有し、下ライトガイド９０２の上面に固定ネジにより固定されている。クロスダイクロイックプリズム９１０には、赤光を反射する誘電体多層膜と、青光を反射する誘電体多層膜とが、４つの直角プリズムの界面に沿って略Ｘ字状に形成され、これらの誘電体多層膜によって３つの色光が合成される。
【００６８】
投写レンズ６は、プロジェクタ１の中でも最も重量の大きい光学部品であり、その基端側に設けられたフランジ６２を介して下ライトガイド９０２のヘッド板９０３にネジ等で固定されている。
【００６９】
以上のように構成された光学ユニット１０は、以下のようにして組み立てられる。先ず、箱状の上ライトガイド９０１をその開口側が上向きとなるようにして置き、この上ライトガイド９０１内に照明光学系９２３、色光分離光学系９２４、およびリレー光学系９２７などを構成する各光学部品（反射ミラー、各種のレンズ等）を配置し、それらの光学部品をクリップ７で上ライトガイド９０１に固定する。
【００７０】
一方、蓋状の下ライトガイド９０２においては、その上面に液晶パネル９２５Ｒ、９２５Ｇ、９２５Ｂを固定したクロスダイクロイックプリズム９１０を固定し、ヘッド板９０３に投写レンズ６を固定しておく。次いで、各光学部品が搭載された上ライトガイド９０１を持って反転させ、下ライトガイド９０２に被せるようにして取り付け、固定する。最後に、このようにして完成したライトガイド９００を、ロアーケース４にネジ等で固定する。
【００７１】
なお、液晶パネル９２５Ｒ、９２５Ｇ、９２５Ｂ、クロスダイクロイックプリズム９１０、および投写レンズ６を搭載しておいた下ライトガイド９０２を先にロアーケース４に固定しておき、その後、各光学部品が搭載された上ライトガイド９０１を持って反転させ、下ライトガイド９０２に被せるようにして取り付け、しかる後、ネジ等によって、上ライトガイド９０１をロアーケース４に固定するようにしてもよい。
【００７２】
さらに、下ライトガイド９０２のみを先にロアーケース４にネジ止めしておき、そこに液晶パネル９２５Ｒ、９２５Ｇ、９２５Ｂおよびクロスダイクロイックプリズム９１０を搭載したり、投写レンズ６を固定したりし、その後、各光学部品が搭載された上ライトガイド９０１を持って反転させ、下ライトガイド９０２に被せるようにして取り付け、しかる後、ネジ等によって、上ライトガイド９０１をロアーケース４に固定するようにしてもよい。
【００７３】
また、本実施形態において、下ライトガイド９０２へのクロスダイクロイックプリズム９１０や投写レンズ６の固定、ロアーケース４への上下ライトガイド９０１、９０２の固定は、ネジによって行われているが、そのような固定を接着や嵌合形式など、他の適宜な固定方法で行ってもよい。
【００７４】
（５）光学系の機能
図９に示す光学ユニット１０において、光源装置１８３から出射された略平行な光束は、インテグレータ光学系（照明光学系９２３）を構成する第１と第２のレンズアレイ９２１、９２２によって、複数の部分光束に分割される。第１のレンズアレイ９２１の各小レンズ９２１１から出射された部分光束は、重畳レンズ９３２によって、液晶パネル９２５Ｒ、９２５Ｇ、９２５Ｂの画像形成領域上で概ね重畳される。その結果、各液晶パネル９２５Ｒ、９２５Ｇ、９２５Ｂは、面内分布がほぼ均一な照明光によって照明される。
【００７５】
この際、色光分離光学系９２４の第１のダイクロイックミラー９４１では、照明光学系９２３から出射された光束の赤色光成分が反射するとともに、青色光成分と緑色光成分とが透過する。第１のダイクロイックミラー９４１によって反射した赤色光は、反射ミラー９４３で反射し、フィールドレンズ９５１を通って赤色用の液晶パネル９２５Ｒに達する。このフィールドレンズ９５１は、第２のレンズアレイ９２２から出射された各部分光束をその中心軸（主光線）に対して平行な光束に変換する。他の液晶パネル９２５Ｇ、９２５Ｂの前に設けられたフィールドレンズ９５２、９５３も同様である。
【００７６】
第１のダイクロイックミラー９４１を透過した青色光と緑色光のうちで、緑色光は第２のダイクロイックミラー９４２によって反射し、フィールドレンズ９５２を通って緑色用の液晶パネル９２５Ｇに達する。一方、青色光は第２のダイクロイックミラー９４２を透過してリレー光学系９２７を通り、さらにフィールドレンズ９５３を通って青色光用の液晶パネル９２５Ｂに達する。なお、青色光にリレー光学系９２７が用いられているのは、青色光の光路の長さが他の色光の光路長さよりも長いため、光の拡散等による光の利用効率の低下を防止するためである。すなわち、入射側レンズ９５４に入射した部分光束をそのまま、フィールドレンズ９５３に伝えるためである。
【００７７】
赤、緑、青の各色光は、液晶パネル９２５Ｒ、９２５Ｇ、９２５Ｂに入射するにあたり、入射側偏光板９６０Ｒ、９６０Ｇ、９６０Ｂで特定の偏光光のみとされる。この後、各偏光光は、各液晶パネル９２５Ｒ、９２５Ｇ、９２５Ｂにおいて与えられた画像情報に従って変調され、変調光として出射側偏光板９６１Ｒ、９６１Ｇ、９６１Ｂに出射される。そして、出射側偏光板９６１Ｒ、９６１Ｇ、９６１Ｂにおいては、変調光のうちの特定の偏光光のみが透過し、クロスダイクロイックプリズム９１０に出射される。出射された各色光の偏光光は、クロスダイクロイックプリズム９１０で合成されて合成光となり、投写レンズ６の方向に出射される。この合成光は、投写レンズ６により投写スクリーン等の投写面上にカラー画像として投写される。
【００７８】
（６）出射側偏光板の取付構造
クロスダイクロイックプリズム９１０への液晶パネル９２５Ｒ、９２５Ｇ、９２５Ｂの取付構造は、図１０に示されるように、各液晶パネル９２５Ｒ、９２５Ｇ、９２５Ｂが、クロスダイクロイックプリズム９１０の光入射端面となる３つの側面と所定の間隔を隔てて対向配置され、クロスダイクロイックプリズム９１０の対向する面（光入射端面）に棒状部材であるピン８０ならびに保持枠８０Ｄを介して接着固定されているＰＯＰ構造となっている。なお、クロスダイクロイックプリズム９１０は、下ライトガイド９０２に固定されるクロスダイクロイックプリズム支持部材８１（以下、支持部材という）上に載置・固定されている。ここで、ピン８０は、図１１に示されるように、円柱形状の挿入部８０Ｂと、挿入時に外部に露出する角柱状の露出部８０Ｃとを備えて構成されている。
【００７９】
ここで、クロスダイクロイックプリズム９１０に液晶パネル９２５Ｒ、９２５Ｇ、９２５Ｂを取り付ける手順を簡単に説明する。まず、各液晶パネル９２５Ｒ、９２５Ｇ、９２５Ｂを保持する保持枠８０Ｄの四隅に設けられた孔８０Ａに、先端ならびに挿入部８０Ｂに紫外線硬化型の接着剤を塗布したピン８０を挿入し、当該ピン８０の先端をクロスダイクロイックプリズム９１０の側面に当接させる。そして、弱い紫外線を照射して当該クロスダイクロイックプリズム９１０に各液晶パネル９２５Ｒ、９２５Ｇ、９２５Ｂを仮固定する。次に、この状態で、投写レンズ６から拡大投写される投写画像を見ながら、フォーカスや画素ずれを調整し、各液晶パネル９２５Ｒ、９２５Ｇ、９２５Ｂの位置を適切な位置に配置する。しかる後、強い紫外線を照射してクロスダイクロイックプリズム９１０の側面に各液晶パネル９２５Ｒ、９２５Ｇ、９２５Ｂを固定する。このようにして、ＰＯＰ構造が形成されるようになっている。
【００８０】
この際、各液晶パネル９２５Ｒ、９２５Ｇ、９２５Ｂを、クロスダイクロイックプリズム９１０の側面に対して接近させたり離間させたりしてフォーカス等の調整を行うためのマージンとして、また、前述の出射側偏光板９６１Ｒ、９６１Ｇ、９６１Ｂを設けるため、当該各液晶パネル９２５Ｒ、９２５Ｇ、９２５Ｂとクロスダイクロイックプリズム９１０の側面との間には、隙間８２（図１３）を設けている。
【００８１】
この隙間８２に配置される出射側偏光板９６１Ｒ、９６１Ｇ、９６１Ｂは、クロスダイクロイックプリズム９１０に設けられるベース部材８３に両面テープによって接着されて取り付けられている。この出射側偏光板９６１Ｒは、前述の通り、液晶パネル９２５Ｒにおいて与えられた画像情報に従って変調した変調光のうちの特定の偏光光のみを透過し、クロスダイクロイックプリズム９１０に出射するものであり、サファイアガラスからなるサファイア基板に偏光フィルムが貼り付けられて四角板状に形成されている（図示略）。
【００８２】
ベース部材８３は、図１２、１３に示されるように、薄板状の金属を折曲加工して形成されているとともに、その表面に光の反射を防止するための黒色の反射防止膜がコーティングされて艶消し処理が施されており、遮光部８４、当接部８５、および延出部８６Ｒ、８６Ｇ、８６Ｂを備えている。
【００８３】
遮光部８４は、クロスダイクロイックプリズム９１０の光出射端面に沿って延びるとともに、クロスダイクロイックプリズム９１０の光出射端面の周縁部、ならびに、投写レンズ６側からみて、液晶パネル９２５Ｂ、９２５Ｒとクロスダイクロイックプリズム９１０の側面との間の隙間８２を覆うように四角板状に形成されている。この遮光部８４の正面中央部分には、クロスダイクロイックプリズム９１０から投写レンズ６に出射される光を通すための四角形状の開口８４Ａが形成されている。また、液晶パネル９２５Ｂ、９２５Ｒとクロスダイクロイックプリズム９１０の側面との間の隙間８２を覆う部分となる遮光部８４の両側端は、断面Ｚ字形状に形成されている。
【００８４】
さらに、遮光部８４には、クロスダイクロイックプリズム９１０の光出射端面に接着される接着部８４Ｂが開口８４Ａの下部に設けられている。この接着部８４Ｂは、両面テープ９２によってクロスダイクロイックプリズム９１０と接着されるようになっており、これにより、遮光部８４は、クロスダイクロイックプリズム９１０の光出射端面に当接・固定されるようになっている。このように遮光部８４を設けることで、各液晶パネル９２５Ｒ、９２５Ｂとクロスダイクロイックプリズム９１０の側面との間の隙間８２から漏れる光が投写レンズ６に入り込むのを防止（遮光）できるようになっている。
【００８５】
当接部８５は、前述の遮光部８４の上端縁から当該遮光部８４に直交するように折り曲げられて形成されており、ベース部材８３のクロスダイクロイックプリズム９１０との相対位置を決める被覆部８５Ａを備えて構成されている。被覆部８５Ａは、クロスダイクロイックプリズム９１０の上面に当接され、当該クロスダイクロイックプリズム９１０上面の略全面を被覆するように四角板状に形成されたものであり、この被覆部８５Ａにより、ベース部材８３のクロスダイクロイックプリズム９１０に対する垂直方向の位置が決定可能となっている。
【００８６】
ここで、被覆部８５Ａにも、遮光部８４と同様に接着部８５Ｃが設けられている。この接着部８５Ｃは、両面テープ９２によってクロスダイクロイックプリズム９１０と接着されるようになっている。これにより、当接部８５がクロスダイクロイックプリズム９１０の上面に固定されるようになっている。そして、前述の遮光部８４および当接部８５を両面テープ９２でクロスダイクロイックプリズム９１０に接着することで、ベース部材８３自体をクロスダイクロイックプリズム９１０に固定できるようになっている。また、被覆部８５Ａには、当該被覆部８５Ａの一部が切り起こされて形成された切り起こし片８７が形成されている。
【００８７】
さらに、被覆部８５Ａには、出射側偏光板９６１Ｒや液晶パネル９２５Ｒ、９２５Ｂ等の温度を検出する温度検出装置であるサーモセンサ８８が、固定端子８９を介して取り付けられている。なお、この固定端子８９は、被覆部８５Ａにバーリング加工で形成された突出部９０に嵌合されている。ここで、被覆部８５Ａにサーモセンサ８８を取り付けることで、当該被覆部８５Ａの端部の温度、つまり、出射側偏光板９６１Ｒや液晶パネル９２５Ｒ、９２５Ｂの温度に近い温度を検出することが可能となっている。つまり、出射側偏光板９６１Ｒや液晶パネル９２５Ｒ、９２５Ｂのいずれかが過熱した場合、その過熱状態を被覆部８５Ａを介してサーモセンサ８８に伝達して検出することによって、１つのセンサで出射側偏光板９６１Ｒ、９６１Ｇ、９６１Ｂや液晶パネル９２５Ｒ、９２５Ｂの温度の監視を行うことができるようになっている。
【００８８】
また、サーモセンサ８８は、吸気ファン１７を制御するメインボード１２に検出信号を出力するように構成されている。サーモセンサ８８をこのように構成することで、被覆部８５Ａの温度が高い、つまり、出射側偏光板９６１Ｒ、９６１Ｇ、９６１Ｂや液晶パネル９２５Ｒ、９２５Ｂの温度が高いと検出されれば、吸気ファン１７の回転数を上げて、出射側偏光板９６１Ｒ、９６１Ｇ、９６１Ｂや液晶パネル９２５Ｒ、９２５Ｇ、９２５Ｂを急速に冷却するように制御し、逆に被覆部８５Ａの温度が低い、つまり、出射側偏光板９６１Ｒ、９６１Ｇ、９６１Ｂや液晶パネル９２５Ｒ、９２５Ｂの温度が低いと検出されれば、吸気ファン１７の回転数を下げて、出射側偏光板９６１Ｒ、９６１Ｇ、９６１Ｂや液晶パネル９２５Ｒ、９２５Ｇ、９２５Ｂを緩やかに冷却するように制御することが可能となっている。
【００８９】
延出部８６Ｒ、８６Ｇ、８６Ｂは、前述の出射側偏光板９６１Ｒ、９６１Ｇ、９６１Ｂが取り付けられるものであり、当接部８５の端縁から当該当接部８５に直交するように折り曲げられて、クロスダイクロイックプリズム９１０の光入射端面となる側面に沿って下方に延びるとともに、各液晶パネル９２５Ｒ、９２５Ｇ、９２５Ｂとクロスダイクロイックプリズム９１０の側面との間に設けられている。以下、液晶パネル９２５Ｒとクロスダイクロイックプリズム９１０の側面との間に設けられる延出部８６Ｒについて説明する。
【００９０】
延出部８６Ｒは、当接部８５の端縁からクロスダイクロイックプリズム９１０の側面に沿って下方に延びる平面四角板状の本体９５と、この本体９５の両側端に設けられた突出部９６と、本体９５の延出方向先端に設けられた２つの支持部９７とを備えて構成されている。本体９５の正面中央部分には、出射側偏光板９６１Ｒで偏光された光をクロスダイクロイックプリズム９１０に入射させるための開口９５Ａが形成されている。
【００９１】
突出部９６は、出射側偏光板９６１Ｒを両側から支持するものであり、本体９５の側端を液晶パネル９２５Ｒ側に直交するように折り曲げることで形成された突出片９６Ａと、この突出片９６Ａの先端となる端縁から対向する突出片９６Ａに向かって互いに突出する突起部９６Ｂとを備えている。これら突出片９６Ａおよび突起部９６Ｂ、つまり、突出部９６は、本体９５の延出方向に沿って連続して形成されている。ここで、突出片９６Ａの液晶パネル９２５Ｒ側への突出寸法は、出射側偏光板９６１Ｒの厚さ寸法と略同じ寸法となっている。また、対向する突出片９６Ａ間の寸法は、取り付けられる出射側偏光板９６１Ｒの幅寸法と略同じ寸法となっている。さらに、突起部９６Ｂの本体９５側の面には、図示しない両面テープが貼り付けられており、出射側偏光板９６１Ｒは、この両面テープに接着されるようになっている。
【００９２】
支持部９７は、出射側偏光板９６１Ｒの下端を支持するものであり、本体９５の延出方向先端から液晶パネル９２５Ｒ側に水平に突出する水平突出片９７Ａと、この水平突出片９７Ａの突出方向先端から鉛直方向上方に突出する鉛直突出片９７Ｂとを備え、断面Ｌ字形状に形成されている。ここで、水平突出片９７Ａの突出寸法は、出射側偏光板９６１Ｒの厚さ寸法と略同じ寸法となっている。また、水平突出片９７Ａの高さレベルは、液晶パネル９２５Ｒからの変調光を出射側偏光板９６１Ｒに効率よく入射することが可能なものとなっている。
【００９３】
出射側偏光板９６１Ｒは、図１２に示されるように、延出部８６Ｒの上方から突起部９６Ｂと本体９５との間に挿入し、下端を鉛直突出片９７Ｂと本体９５とで挟持させることで、延出部８６Ｒに取り付けられるようになっている。また、挿入と逆の方向の上方に引き抜くことで、延出部８６Ｒから取り外せるようになっている。つまり、出射側偏光板９６１Ｒは、液晶パネル９２５Ｒに入射する光束の中心線によって規定される面、つまり、出射側偏光板９６１Ｒ（開口９５Ａ）に入射する光束の中心線によって規定される面（図１２中の矢印Ａ）と直交する方向（図１２中の矢印Ｂ）から挿脱可能とされている。
【００９４】
一方、対向する突出片９６Ａ間の寸法、言い換えると、延出部８６Ｒの幅寸法は、図１０および図１４（Ａ）に示されるように、出射側偏光板９６１Ｒの挿脱方向に直交する方向に対向配置されるピン８０間の寸法よりも幅狭の寸法を有している。具体的には、延出部８６Ｒの幅寸法は、当該延出部８６Ｒを鉛直方向に動かした際に、ピン８０に接触しない程度のものとなっている。従って、ベース部材８３の切り起こし片８７を持って、当該ベース部材８３を上方に引き上げれば、クロスダイクロイックプリズム９１０に液晶パネル９２５Ｒ、９２５Ｇ、９２５Ｂが取り付けられている状態で、クロスダイクロイックプリズム９１０からベース部材８３を取り外すことが可能となる。つまり、ベース部材８３も、出射側偏光板９６１Ｒと同様に、液晶パネル９２５Ｒに入射する光束の中心線によって規定される面、つまり、出射側偏光板９６１Ｒ（開口９５Ａ）に入射する光束の中心線によって規定される面（図１２中の矢印）と直交する方向から挿脱可能とされている。なお、他の各液晶パネル９２５Ｇ、９２５Ｂとクロスダイクロイックプリズム９１０の側面との間に設けられる延出部８６Ｇ、８６Ｂは、前記延出部８６Ｒと同様の取付構造であるので、ここでは説明を省略する。
【００９５】
このような出射側偏光板９６１Ｒの交換手順を以下に説明する。なお、図１４では、液晶パネル９２５Ｒは省略している。まず、図１４（Ａ）に示されるように、延出部８６Ｒに取り付けて使用した状態で、出射側偏光板９６１Ｒの交換時期が来た場合、図１４（Ｂ）に示されるように、切り起こし片８７を摘んでベース部材８３を上方に持ち上げ、クロスダイクロイックプリズム９１０から当該ベース部材８３を取り外す。次に、図１４（Ｃ）に示されるように、▲１▼交換時期が来た出射側偏光板９６１Ｒを上方に引き抜き、▲２▼新しい出射側偏光板９６１Ｒを延出部８６Ｒの上方から突起部９６Ｂと本体９５との間に挿入し、下端を鉛直突出片９７Ｂと本体９５とで挟持させて、延出部８６Ｒに取り付ける。そして、図１４（Ｄ）に示されるように、再び、切り起こし片８７を摘んで、ベース部材８３をクロスダイクロイックプリズム９１０に取り付け、当該クロスダイクロイックプリズム９１０に貼り付けられている両面テープ９２に接着して固定する。なお、他の出射側偏光板９６１Ｇ、９６１Ｂも、前記出射側偏光板９６１Ｒと同様の交換作業であるので、ここでは説明を省略する。
【００９６】
このような本実施形態によれば、次のような効果が得られる。
【００９７】
すなわち、出射側偏光板９６１Ｒ、９６１Ｇ、９６１Ｂは、各液晶パネル９２５Ｒ、９２５Ｇ、９２５Ｂに入射する光束の中心線によって規定される面と直交する方向から挿脱可能となっているので、各液晶パネル９２５Ｒ、９２５Ｇ、９２５Ｂの着脱作業を行わずに各出射側偏光板９６１Ｒ、９６１Ｇ、９６１Ｂを交換することができる。これにより、各出射側偏光板９６１Ｒ、９６１Ｇ、９６１Ｂの交換作業が容易となり、光源ランプ１８１の高輝度化やプロジェクタ１の小型化等に対応できる出射側偏光板９６１Ｒ、９６１Ｇ、９６１Ｂの取付構造を得ることができる。
【００９８】
また、各出射側偏光板９６１Ｒ、９６１Ｇ、９６１Ｂを、ベース部材８３の延出部８６Ｒ、８６Ｇ、８６Ｂに取り付けるようにしたので、各出射側偏光板９６１Ｒ、９６１Ｇ、９６１Ｂをクロスダイクロイックプリズム９１０に直接取り付けなくてよく、各出射側偏光板９６１Ｒ、９６１Ｇ、９６１Ｂを交換する際に、クロスダイクロイックプリズム９１０の位置ずれや傷つき等を考慮しながら慎重に交換作業を行う必要がない。これにより、各出射側偏光板９６１Ｒ、９６１Ｇ、９６１Ｂの交換作業を容易に行うことができる。
【００９９】
さらに、ベース部材８３を両面テープ９２でクロスダイクロイックプリズム９１０に接着固定するようにしたので、ベース部材８３をクロスダイクロイックプリズム９１０に簡単に取り付けることができるとともに、クロスダイクロイックプリズム９１０から当該ベース部材８３を簡単に取り外すことができる。これにより、ベース部材８３の取付作業を容易に行うことができる。
【０１００】
また、各延出部８６Ｒ、８６Ｇ、８６Ｂの両側端に突出片９６Ａを設けたので、対向する突出片９６Ａ間に出射側偏光板９６１Ｒ、９６１Ｇ、９６１Ｂを挿入することで、当該出射側偏光板９６１Ｒ、９６１Ｇ、９６１Ｂの水平方向の位置ずれ等を防止することができる。さらに、対向する突出片９６Ａ間の幅寸法が出射側偏光板９６１Ｒ、９６１Ｇ、９６１Ｂの幅寸法と略同じであるので、当該出射側偏光板９６１Ｒ、９６１Ｇ、９６１Ｂの水平方向の位置を略所望の位置に固定することができる。これにより、出射側偏光板９６１Ｒ、９６１Ｇ、９６１Ｂの取付精度を向上させることができる。
【０１０１】
さらに、突出片９６Ａの先端に突起部９６Ｂを設けたので、出射側偏光板９６１Ｒ、９６１Ｇ、９６１Ｂの液晶パネル９２５Ｒ、９２５Ｇ、９２５Ｂ側（面外方向）への抜けや位置ずれ等を防止することができ、出射側偏光板９６１Ｒ、９６１Ｇ、９６１Ｂの取付による偏光軸の傾き精度をより一層向上させることができる。
【０１０２】
また、延出部８６Ｒ、８６Ｇ、８６Ｂの延出方向先端に支持部９７を設けたので、出射側偏光板９６１Ｒ、９６１Ｇ、９６１Ｂを挿入するだけで、当該出射側偏光板９６１Ｒ、９６１Ｇ、９６１Ｂを所望の高さレベルに配置することができ、出射側偏光板９６１Ｒ、９６１Ｇ、９６１Ｂの取付作業を容易に行うことができる。また、各出射側偏光板９６１Ｒ、９６１Ｇ、９６１Ｂを、各延出部８６Ｒ、８６Ｇ、８６Ｂと支持部９７とで固定するため、冷却風の流れを阻害しない構造となり、クーリング性能を損ねない。
【０１０３】
さらに、出射側偏光板９６１Ｒ、９６１Ｇ、９６１Ｂを延出部８６Ｒ、８６Ｇ、８６Ｂに両面テープによって接着固定したので、延出部８６Ｒ、８６Ｇ、８６Ｂに取り付けたり、当該延出部８６Ｒ、８６Ｇ、８６Ｂから取り外したりする作業を簡単に行うことができ、出射側偏光板９６１Ｒ、９６１Ｇ、９６１Ｂの交換作業を容易にできる。
【０１０４】
また、ベース部材８３は、遮光部８４を備えているので、当該遮光部８４によって、液晶パネル９２５Ｒ、９２５Ｂとクロスダイクロイックプリズム９１０との間の隙間から投写レンズ６側に漏れる光が遮光され、投写レンズ６にクロスダイクロイックプリズム９１０から出射される光のみが入射されるようになる。これにより、小型化を行っても、投写される画像の画質を損なうことがない。
【０１０５】
さらに、遮光部８４の液晶パネル９２５Ｒ、９２５Ｂとクロスダイクロイックプリズム９１０の光入射端面との間の隙間を覆う両側端を、断面Ｚ字形状に形成したので、液晶パネル９２５Ｒ、９２５Ｂとクロスダイクロイックプリズム９１０との間の隙間から投写レンズ６側に漏れる光を遮光するだけでなく、断面Ｚ字形状の形状によって、吸気ファン１７からの冷却空気を整流し、当該冷却空気を特に熱に弱い出射側偏光板９６１Ｒ、９６１Ｇ、９６１Ｂや液晶パネル９２５Ｒ、９２５Ｇ、９２５Ｂに大量に吹き付けることができる。これにより、出射側偏光板９６１Ｒ、９６１Ｇ、９６１Ｂや液晶パネル９２５Ｒ、９２５Ｇ、９２５Ｂを効率よく冷却することができる。
【０１０６】
また、ベース部材８３の表面に黒色の艶消し処理を施したので、遮光部８４や延出部８６Ｒ、８６Ｇ、８６Ｂで遮られた光が反射して投写レンズ６や液晶パネル９２５Ｒ、９２５Ｇ、９２５Ｂ等の光学素子に入り込み、画像に影響を及ぼす可能性を回避することができる。
【０１０７】
また、延出部８６Ｒ、８６Ｇ、８６Ｂを、各出射側偏光板９６１Ｒ、９６１Ｇ、９６１Ｂの挿脱方向に直交する方向に対向配置されるピン８０間の寸法よりも幅狭の寸法に形成したので、出射側偏光板９６１Ｒ、９６１Ｇ、９６１Ｂが取り付けられたベース部材８３を上方に持ち上げることで、当該ベース部材８３をクロスダイクロイックプリズム９１０から外すことができる。つまり、出射側偏光板９６１Ｒ、９６１Ｇ、９６１Ｂの交換作業を、液晶パネル９２５Ｒ、９２５Ｇ、９２５Ｂとクロスダイクロイックプリズム９１０の光入射端面との間の狭い空間で行うのではなく、別の広い空間で行うことができる。これにより、出射側偏光板９６１Ｒ、９６１Ｇ、９６１Ｂの交換作業をより一層容易に行うことができる。
【０１０８】
さらに、出射側偏光板９６１Ｒ、９６１Ｇ、９６１Ｂは、サファイア基板を含んで構成したので、当該サファイア基板は、放熱性能が非常によく、出射側偏光板９６１Ｒ、９６１Ｇ、９６１Ｂに蓄積される熱を効率よく放熱することができる。これにより、出射側偏光板９６１Ｒ、９６１Ｇ、９６１Ｂの寿命を延ばすことができ、出射側偏光板９６１Ｒ、９６１Ｇ、９６１Ｂの交換サイクルが長くなり、当該出射側偏光板９６１Ｒ、９６１Ｇ、９６１Ｂの交換作業を容易に行うことができる。
【０１０９】
［第２実施形態］
図１５には、本発明の第２実施形態に係るベース部材９３が示されている。なお、前記第１実施形態と同一または相当構成部品には同じ符号を付し、説明を省略または簡略する。本実施形態のベース部材９３は、前記第１実施形態の出射側偏光板９６１Ｒ、９６１Ｇ、９６１Ｂがそれぞれ一枚ずつ取り付けられていた各延出部８６Ｒ、８６Ｇ、８６Ｂを２枚取り付けられるようにしたものである。以下、液晶パネル９２５Ｒとクロスダイクロイックプリズム９１０の側面との間に設けられる延出部８６Ｒについて説明する。
【０１１０】
詳しくは、延出部８６Ｒ、８６Ｇ、８６Ｂの両側端には、クロスダイクロイックプリズム９１０の光入射端面側に突出する突出片９８が設けられているとともに、その一部分が液晶パネル９２５Ｒ、９２５Ｇ、９２５Ｂ側に切り起こされて形成された切り起こし片９９が設けられている。
【０１１１】
突出片９８は、本体９５の側端をクロスダイクロイックプリズム９１０側に直交するように折り曲げることで形成されているとともに、本体９５の延出方向に沿って連続して形成されている。この対向する突出片９８間の寸法は、取り付けられる出射側偏光板９６１Ｒの幅寸法と略同じ寸法となっている。
【０１１２】
切り起こし片９９は、本体９５の延出方向に沿って２箇所ずつ形成されている。この対向する切り起こし片９９間の寸法は、前述の突出片９８間と同様に、取り付けられる出射側偏光板９６１Ｒの幅寸法と略同じ寸法となっている。
【０１１３】
また、本体９５の延出方向先端には、当該本体９５の一部をクロスダイクロイックプリズム９１０側に切り起こして形成され、出射側偏光板９６１Ｒの下端が載置する切り起こし支持部１００Ａと、断面Ｌ字形状に折り曲げ形成され、別の出射側偏光板９６１Ｒの下端が載置する折曲支持部１００Ｂとが設けられている。これにより、延出部８６Ｒのクロスダイクロイックプリズム９１０側と、液晶パネル９２５Ｒ側とに、それぞれ一枚ずつ出射側偏光板９６１Ｒを取り付けることができるようになっている。なお、他の各液晶パネル９２５Ｇ、９２５Ｂとクロスダイクロイックプリズム９１０の側面との間に設けられる延出部８６Ｇ、８６Ｂは、前記延出部８６Ｒと同様の取付構造であるので、ここでは説明を省略する。
【０１１４】
このような本実施形態によれば、前記実施形態と同様の効果が得られる上、延出部８６Ｒ、８６Ｇ、８６Ｂのクロスダイクロイックプリズム９１０側と液晶パネル９２５Ｒ、９２５Ｇ、９２５Ｂ側とで出射側偏光板９６１Ｒ、９６１Ｇ、９６１Ｂを２枚ずつ取り付けることができるので、１枚が劣化しても、もう一枚によって偏光することができるうえ、二枚の偏光板により偏光機能を分担させることもできる。つまり、出射側偏光板９６１Ｒ、９６１Ｇ、９６１Ｂの交換サイクルを長くすることができ、この点からも、出射側偏光板９６１Ｒ、９６１Ｇ、９６１Ｂの交換作業を容易にできるうえ、二枚の偏光板を用いた場合は、一枚の偏光板と比べ偏光特性の向上を図ることができる。
【０１１５】
なお、本発明は前記実施の形態に限定されるものではなく、本発明の目的を達成できる他の構成等を含み、以下に示すような変形等も本発明に含まれる。
【０１１６】
例えば、前記実施形態では、出射側偏光板は、サファイア基板を含んで構成されていたが、これに限らず、例えば、出射側偏光板の放熱・冷却を効率よく行うことができるような冷却構造を採用していれば、サファイア基板を含む必要がなく、普通のガラス基板でよい。
【０１１７】
また、前記実施形態では、延出部の幅寸法は、ピン間の幅寸法よりも幅狭であったが、これに限らず、例えば、ベース部材をクロスダイクロイックプリズムから取り外す必要がなければ、ピン間の幅寸法と同じ程度の寸法でもよい。
【０１１８】
さらに、前記実施形態では、遮光部の両側端を断面Ｚ字形状に形成したが、これに限らず、例えば、平面状に形成してもよい。
【０１１９】
また、前記実施形態では、遮光部を備えていたが、これに限らず、例えば、液晶パネルとクロスダイクロイックプリズムの光入射端面との間の隙間から、光が投写レンズ側にほとんど漏れない構造となっていれば、なくてもよい。
【０１２０】
さらに、前記実施形態では、出射側偏光板は、延出部に両面テープで接着固定していたが、これに限らず、例えば、液状の接着剤でもよいし、出射側偏光板を延出部に取り付けた際に動かないように固定できればよい。
【０１２１】
また、出射側偏光板の固定構造は、前記実施形態の構造に限らず、例えば、各延出部８６Ｒ、８６Ｇ、８６Ｂにおける、各出射側偏光板９６１Ｒ、９６１Ｇ、９６１Ｂの挿入側先端に折り曲げ部（図中省略）を設け、各出射側偏光板９６１Ｒ、９６１Ｇ、９６１Ｂを装着後に折り曲げ部を曲げて押え込むようにしてもよい。逆に交換時は、折り曲げ部を起こして出射側偏光板９６１Ｒ、９６１Ｇ、９６１Ｂを外す。このようにすれば、出射側偏光板９６１Ｒ、９６１Ｇ、９６１Ｂを投げ込むだけで済み、両面テープを不要にでき、作業性をより向上させることができる。
【０１２２】
また、前記実施形態では、支持部を設けたが、これに限らず、例えば、出射側偏光板の高さレベルを作業者が一つ一つ合わせるのであれば、なくてもよい。
【０１２３】
さらに、前記第２実施形態では、前記延出部に出射側偏光板が２枚取り付けられるようになっていたが、これに限らず、例えば、突出片や切り起こし片の突出寸法を大きくして、３枚以上取り付けるようにしてもよい。
【０１２４】
また、前記実施形態では、突起部を設けたが、これに限らず、例えば、液晶パネルとクロスダイクロイックプリズムとの隙間が小さく、出射側偏光板を挿入した際、傾斜角度がほとんどなければなくてもよい。
【０１２５】
さらに、前記実施形態では、延出部の両側端に突出片を設けたが、これに限らず、例えば、一方の側端にのみ設けてもよいし、本体に接着して固定すればなくてもよい。
【０１２６】
また、前記実施形態では、ベース部材８３は、両面テープ９２でクロスダイクロイックプリズム９１０に接着されていたが、これに限らず、例えば、液状の接着剤でもよいし、ベース部材８３をクロスダイクロイックプリズム９１０に取り付けた際に動かないように固定できればよい。
【０１２７】
さらに、前記実施形態では、ベース部材は、各出射側偏光板９６１Ｒ、９６１Ｇ、９６１Ｂを取り付ける延出部８６Ｒ、８６Ｇ、８６Ｂを備えていたが、これに限らず、少なくとも青色の光束を変調する液晶パネル９２５Ｂと、クロスダイクロイックプリズム９１０の側面との間に設けられる延出部８６Ｂを有していればよい。
【０１２８】
また、出射側偏光板は、ベース部材に取り付けるに限らず、例えば、クロスダイクロイックプリズムに直接貼り付けてもよい。
【０１２９】
さらに、前記実施形態では、ベース部材８３に黒色の艶消し処理を施していたが、ベース部材を、光が反射しない材料や、表面粗度の大きい反射しにくい材料で形成すれば、処理しなくてもよい。
【０１３０】
また、前記実施形態では、遮光部８４は、接着部８４Ｂでクロスダイクロイックプリズム９１０に接着していたが、これに限らず、遮光部８４がクロスダイクロイックプリズム９１０の光出射面に固定されればよく、接着部８４Ｂでなくてもよい。
【０１３１】
また、前記実施形態では、被覆部８５Ａに切り起こし片８７が形成されていたが、これに限らず、例えば、別体の板状の部材を接着剤等で被覆部の上面に接着・固定してもよいし、ベース部材８３の着脱作業が簡単にできるのであれば、なくてもよい。
【０１３２】
さらに、前記実施形態では、ベース部材にサーモセンサを設けていたが、これに限らず、例えば、電気光学装置の近傍に配置するようにしてもよいし、使用時間に応じた電気光学装置の上昇温度がわかっていれば、なくてもよい、
また、前記実施形態では、ベース部材は、金属製であったが、これに限らず、例えば、プラスチック製でもよいが、サーモセンサが設けられている場合、熱伝導性の良い材料を採用するのが好ましい。
【０１３３】
さらに、クロスダイクロイックプリズムは、２種類の誘電体多層膜が、４つの直角プリズムの界面に沿って略Ｘ字状に形成されたものに限らず、例えば、２つのダイクロイックミラーを略Ｘ字状に組み立てて、その周囲を液体で満たしたものであっても良い。また、クロスダイクロイックプリズムの代わりに、３つの異なる形状のプリズムの界面に沿って２種類の誘電体多層膜が形成されたプリズムを用いてもよい。すなわち、上記実施形態のクロスプリズムは、色合成ができ、その周囲面に光変調装置が固定できるあらゆる構成のプリズム（ミラーを用いてプリズムのように構成されたものを含む）に置き換えることが可能である。
【０１３４】
また、前記実施形態では、保持枠８０Ｄとピン８０とによって、液晶パネル９２５Ｒ、９２５Ｇ、９２５Ｂをプリズム９１０の側面に接着固定するようにしていたが、このような構成は限られない。例えば、ピン８０のような固定部材を用いることなく保持枠８０Ｄとプリズム９１０の側面とを直接接着剤や半田などで固定しても良い。すなわち、液晶パネルのような光変調装置をプリズムの側面に所定間隔を隔てて固定できる構造となっておれば良い。
【０１３５】
さらに、前記実施形態では、電気光学装置９２５は、３枚の液晶パネル９２５Ｒ、９２５Ｇ、９２５Ｂから構成されていたが、これに限らず、２枚、あるいは４枚以上の液晶パネルから構成される光変調装置に本発明を採用してもよい。
【０１３６】
そして、前記実施形態では、光変調装置として液晶パネルを用いたプロジェクタについて説明したが、プラズマ素子や、マイクロミラーを用いた光変調装置を備えたプロジェクタに本発明を採用してもよい。すなわち、上記実施形態の液晶パネルは、画像を形成したり、光を変調したりするような機能を有する他の装置に置き換えることが可能である。
【０１３７】
また、前記実施形態における液晶パネル９２５Ｒ、９２５Ｇ、９２５Ｂは、光束Ｒ、Ｇ、Ｂを透過して変調する形式のものであったが、これに限らず、入射した光を反射しつつ変調して出射する反射型の光変調装置を備えたプロジェクタに本発明を採用してもよい。
【０１３８】
【発明の効果】
以上に述べたように、本発明のプロジェクタによれば、偏光板を各光変調装置に入射する光束の中心線によって規定される面と直交する方向から挿脱可能としたので、光変調装置の着脱作業を行わずに偏光板を交換することが可能となる。これにより、偏光板の交換作業が容易となり、光源ランプの高輝度化や装置の小型化等に対応できる偏光板の取付構造を得ることができるという効果がある。
【図面の簡単な説明】
【図１】本発明の第１実施形態に係るプロジェクタの上面側からの外観斜視図である。
【図２】前記実施形態におけるプロジェクタの下面側からの外観斜視図である。
【図３】前記実施形態におけるプロジェクタの内部構造を示す斜視図である。
【図４】前記実施形態におけるプロジェクタの光学系を示す斜視図である。
【図５】前記実施形態における光学系の構造を示す斜視図である。
【図６】前記実施形態における光学系の構造を示す他の斜視図である。
【図７】図１におけるVII−VII線に沿った断面図であり、前記プロジェクタの垂直断面図である。
【図８】図７におけるVIII−VIII線に沿った断面図であり、前記プロジェクタの別の垂直断面図である。
【図９】前記実施形態における光学系の機能を説明するための模式図である。
【図１０】前記実施形態における液晶パネルのクロスダイクロイックプリズムへの取付構造を示す分解斜視図である。
【図１１】前記実施形態におけるピンの形状を示す斜視図である。
【図１２】前記実施形態におけるベース部材を示す斜視図である。
【図１３】前記実施形態におけるベース部材の取付構造を示す、（Ａ）正面図、（Ｂ）平面図である。
【図１４】前記実施形態におけるベース部材の取付手順を示す図である。
【図１５】本発明の第２実施形態に係るベース部材を示す斜視図である。
【符号の説明】
１  プロジェクタ
６  投写レンズ
８０  棒状部材であるピン
８３  ベース部材
８４  遮光部
８５  当接部
８６Ｒ、８６Ｇ、８６Ｂ  延出部
９６Ａ  突出片
９６Ｂ  突起部
９７  支持部
９１０  クロスダイクロイックプリズム
９２５Ｒ、９２５Ｇ、９２５Ｂ  光変調装置である液晶パネル
９６１Ｒ、９６１Ｇ、９６１Ｂ  出射側偏光板
【図１】
0003800935.tif 000002
【図２】
0003800935.tif 000003
【図３】
0003800935.tif 000004
【図４】
0003800935.tif 000005
【図５】
0003800935.tif 000006
【図６】
0003800935.tif 000007
【図７】
0003800935.tif 000008
【図８】
0003800935.tif 000009
【図９】
0003800935.tif 000010
【図１０】
0003800935.tif 000011
【図１１】
0003800935.tif 000012
【図１２】
0003800935.tif 000013
【図１３】
0003800935.tif 000014
【図１４】
0003800935.tif 000015
【図１５】
0003800935.tif 000016